(57)【要約】【課題】照明ハウジングに固定された照明ガラス板の背後に配置された照明手段を備えたハウジングを提供すること。【解決手段】構造的に簡単で費用の安い方法で照明ハウジングと結合できるようにハウジングを形成するために、ハウジングを照明ハウジングと一体構造的に形成する。これによって、照明ハウジングをハウジングに別個に組み立てることがなくなるように、両部分を一緒に製造することができる。このハウジングは特に車外バックミラーに適している。【選択図】図１
2006248517.tif 000002
【特許請求の範囲】
【請求項１】
照明ハウジングに固定された照明ガラス板の背後に配置された少なくとも１つの照明手段を備えたハウジング、特にミラーハウジングであって、前記ハウジング（２）が前記照明ハウジング（１４、２１）と一体構造として形成されていることを特徴とするハウジング。
【請求項２】
照明ハウジング（１４、２１）がハウジング（２）の１つの壁（４）の整形仕上げ物によって形成されることを特徴とする請求項１に記載のハウジング。
【請求項３】
前記整形仕上げ物（１４、２１）が肩面（２０）を介して前記ハウジング（２）と結合していることを特徴とする請求項２に記載のハウジング。
【請求項４】
前記肩面（２０）が前記照明ハウジング（１４、２１）の一側壁（２１）から角度を付けて張り出していることを特徴とする請求項３に記載のハウジング。
【請求項５】
前記照明ガラス板（１１）が前記肩面（２０）に固定されていることを特徴とする請求項３または４に記載のハウジング。
【請求項６】
前記肩面（２０）が溝（２３）を有し、前記溝（２３）の中に形状ロック部分（１９）を有する前記照明ガラス板（１１）がはまり込むことを特徴とする請求項３から５までのいずれか一項に記載のハウジング。
【請求項７】
前記形状ロック部分（１９）が照明ガラス板（１１）の曲げられた縁部（１７）の前面（１８）から張り出していることを特徴とする請求項６に記載のハウジング。
【請求項８】
前記縁部（１７）がほぼ直角に張り出していることを特徴とする請求項７に記載のハウジング。
【請求項９】
前記形状ロック部分（１９）がウェブによって形成されていることを特徴とする請求項６から８までのいずれか一項に記載のハウジング。
【請求項１０】
前記形状ロック部分（１９）が本質的にその全高にわたって前記溝（２３）の中に入り込んでいることを特徴とする請求項６から９までのいずれか一項に記載のハウジング。
【請求項１１】
前記形状ロック部分（１９）が前記溝（２３）の中に離脱しないように保持されることを特徴とする請求項６から１０までのいずれか一項に記載のハウジング。
【請求項１２】
前記照明ガラス板（１１）が溶接結合によって前記照明ハウジング（１４、２１）と結合されることを特徴とする請求項１から１１までのいずれか一項に記載のハウジング。
【請求項１３】
前記照明ガラス板（１１）が接着剤結合によって前記照明ハウジング（１４、２１）と結合されることを特徴とする請求項１から１１までのいずれか一項に記載のハウジング。
【請求項１４】
前記照明ガラス板（１１）の外側（１５）が、ハウジング（２）の外側（１６）の少なくとも近似的に不変の継続部を形成することを特徴とする請求項１から１３までのいずれか一項に記載のハウジング。
【発明の詳細な説明】
【技術分野】
【０００１】
本発明はハウジングに関し、特に請求項１のプリアンブルによるミラーハウジングに関する。
【背景技術】
【０００２】
ミラーヘッドの中に照明ユニットとして反復明滅光が配置された車外バックミラーが周知である。この反復明滅光の照明ハウジングは、ミラーハウジングと共に組み立てるには比較的高価であるが、それはまたこれらの部分の間に完璧な密閉が必要であるためである。
【発明の開示】
【発明が解決しようとする課題】
【０００３】
本発明は、構造的に簡単で原価の安い方法で照明ハウジングと結合できるように種類に適合したハウジングを形成するという課題に基づくものである。
【課題を解決するための手段】
【０００４】
この課題は、請求項１の特徴を有する本発明による種類に適合したハウジングにおいて解決される。
【０００５】
本発明によるハウジングの場合、照明ハウジングはハウジングと共に一体構造として結合されている。これによって両部分を、照明ハウジングのハウジングへの別個の組立てがなくなるように、共通に製造することができる。さらに、一体的結合によってこれらのハウジングの間に密な結合が達成され、これは同様にハウジング製造の原価を安くする効果をもたらす。
【０００６】
本発明のさらなる特徴は、さらに別の請求項、説明、および図面から明らかになる。
【０００７】
本発明を、図面に図示したいくつかの実施形態によって詳しく説明する。
【発明を実施するための最良の形態】
【０００８】
図１ないし図３による車外バクミラーは、ミラーハウジング２を備えたミラーヘッド１を有し、前記ミラーハウジング２は、周知の方法で進行方向に、かつミラー足３において進行方向に対してパタンと倒すことができるように配置され、合成物質からなることが有利である。ハウジング２の中には、ミラーガラスを備えたミラーガラス支持物が入っている。ミラーハウジング２の進行方向前方に向いた裏側４は、明滅光として形成された照明ユニット６のための受入れ部５を有する。
【０００９】
受入れ部５は、裏側４を整形仕上げすることによって形成される（図２ないし図４）。受入れ部５の中には反射鏡７が入っており、反射鏡７は開口部８を有し、開口部８の中には照明手段９が、好ましくはＬＥＤが突き出ている。開口部８は、反射鏡７の斜めに延びる壁部分１０の中に備えられている。この実施例では、隣接する壁部分１０はＶ形状に互いに相対している。受入れ部５は照明ガラス板１１によって閉じられ、照明ガラス板１１を通じて照明手段９から発する光は外向きに進む。反射鏡７の照明ガラス板１１に背く側には、シートバー１２が備えられ、シートバー１２の上には、照明手段９の電流／電圧供給のための電気／電子部材が取り付けられている。シートバー１２は、その縁部によって受入れ部５のベース１４における支え面１３の上に載っている。
【００１０】
反射鏡７を、任意の適切な方法によって受入れ部５の中に固定することができる。照明手段９は、照明手段９から発せられる光が直接照明ガラス板１１に到達して、一部が反射鏡７から照明ガラス板１１へ反射するように配置される。
【００１１】
照明ガラス板１１は受入れ部５と密に接続している。照明ガラス板１１の外側１５は、少なくとも近似的に、ミラーハウジング２の裏側４の外側１６の不変の継続部を形成している。照明ガラス板１１はその周りに曲げられた縁部１７を有し、その前面１８の上で狭いウェブ１９が中央に突き出ている。このウェブによって照明ガラス板１１は、裏側４の外側１６に対して戻った位置にある肩面２０の上に装着されている。肩面２０は受入れ部５の側壁２１に横向きに接続し、側壁２１に横向きに延びる狭い縁部２２を通じて裏側４と結合している。裏側４、面２０、２２、および側壁２１は、互いに一個体として形成される。
【００１２】
ウェブ１９は、肩面２０に溶接によって結合される。これによって、照明ガラス板１１と肩面２０との間に申し分のない堅固で密な結合が生じる。肩面２０の中に、照明ガラス板１１を装着するときウェブ１９が中に食い込む平坦な溝２３を備えることは有利である。これによって、続く溶接過程のために、最適の姿勢位置付けおよび申し分のない密な結合が達成される。
【００１３】
照明ガラス板１１の縁部１７と縁部２２との間には、狭いスリット２４が備えられている。このスリットを、溝２３によって簡単な方法で一定の幅に維持することができる。
【００１４】
図４による実施形態では、肩面２０は本質的に先の実施形態の場合よりも厚い。ウェブ１９は先の実施形態の場合よりも長い。それに応じて、肩面２０における溝２３は図３による実施形態の場合よりも深い。照明ガラス板１１はミラーハウジング２に固く結合しているので、照明ガラス板１１は先の実施形態とは異なって、前面１８によって肩面２０の上に載っている。
【００１５】
ウェブ１９は、接着剤結合によって溝２３の中に保持される。溝２３は十分に深くて、ウェブ１９は十分に長いので、大きな接着面が利用可能である。ウェブ１９の長さが溝２３の深さに対応することは有利である。
【００１６】
照明ガラス板１１は、受入れ部５の側壁２１の内側２５が照明ガラス板１１の縁部の内側２６の不変の継続部を形成する。
【００１７】
その他の点では、この実施形態は、図３による実施形態と同様に形成されている。
【００１８】
照明ガラス板１１は、任意の適合した輪郭形状を有することができる。照明ガラス板１１は合成物質溶接（図３）によってミラーハウジング２に結合されるので、照明ガラス板１１とミラーハウジング２は互いに溶接によって合体した合成物質からなる。
【００１９】
照明ユニット６の部材を、好みに応じて配置し、形成し、組み込むことができる。ミラーハウジング２の中には、照明ユニット６の他に、カメラモジュール、周辺照明灯、アンテナ、ミラーガラス用のヒータ、ＧＰＳモジュール、自動ミラーガラス減光用センサなどの、その他のエレメントも入れることができる。
【００２０】
ハウジングは、車外ミラーハウジングの一部のみではなく、車内バックミラー、レーザー光などの一部にすることもできる。整形仕上げによって、ハウジングと共に一体的に形成される１つまたは複数のそれぞれの照明手段のためのハウジング部分が形成される。この形成によって別個のハウジングの費用のかかる組立てがなくなる。
【図面の簡単な説明】
【００２１】
【図１】本発明によるハウジングの中に入れた反復明滅光を備えた車外バックミラーの背面図である。
【図２】図１の線ＩＩ−ＩＩに沿った断面図である。
【図３】本発明によるハウジングの照明ハウジングの簡略化された拡大断面図である。
【図４】本発明によるハウジングの別の実施形態の図３に対応する図である。
【符号の説明】
【００２２】
１  ミラーヘッド
２  ミラーハウジング
３  ミラー足
４  ミラーハウジングの進行方向前方に向いた裏側
５  受入れ部
６  照明ユニット
７  反射鏡
８  開口部
９  照明手段
１０  反射鏡の斜めに延びる壁部分
１１  照明ガラス板
１２  シートバー
１３  支え面
１４  受入れ部のベース
１５  照明ガラス板の外側
１６  ミラーハウジングの裏側の外側
１７  曲げられた縁部
１８  曲げられた縁部の前面
１９  ウェブ
２０  肩面
２１  側壁
２２  縁部
２３  溝
２４  スリット
２５  受入れ部の側壁の内側
２６  照明ガラス板の縁部の内側
【図１】
2006248517.tif 000003
【図２】
2006248517.tif 000004
【図３】
2006248517.tif 000005
【図４】
2006248517.tif 000006